(57)【要約】  本発明は、触覚、嗅覚、味覚情報を入出力及び伝送可能な感覚情報入出力電子ペン及び電子ペンを用いた嗅覚情報出力方法に関し、外部と接触して感覚情報が入力される感覚情報入力部、前記入力された感覚情報を処理及び格納する信号処理部、並びに第１コネクタで構成されたヘッド部と、前記第１コネクタに接続され、かつ、前記入力された感覚情報を受信する第２コネクタ、前記感覚情報に基づいて電気を駆動させる駆動装置部、第１コネクタに接続され、かつ、前記駆動装置を制御する制御ボード、前記駆動装置部及び制御ボードを介して感覚情報を出力する質感再現部、並びに無線通信部を備えたボディ部と、を備える感覚情報入出力電子ペン及びこれを用いて味情報を認識して嗅覚情報に変換する方法に関する。したがって、本発明によれば、端末の種類及び交替の有無と関係なく一貫して用いることができ、具体的かつ直観的な感覚情報の伝達が可能であり、移動通信端末のみならず、日常生活においても、触覚、嗅覚、味覚に関する情報を格納し再生して用いることができるという効果がある。
2010503061.tif 000002
【特許請求の範囲】
【請求項１】
外部と接触して表面の感覚情報が入力される感覚情報入力部と、
該感覚情報入力部から入力された感覚情報を処理及び格納する信号処理部と、
前記感覚情報を出力する感覚情報再現部と、
前記感覚情報を伝送する無線通信部と、
を備えることを特徴とする感覚情報入出力電子ペン。
【請求項２】
外部と接触して感覚情報が入力される感覚情報入力部、前記入力された感覚情報を処理及び格納する信号処理部、並びに第１コネクタで構成されたヘッド部と、
前記第１コネクタに接続され、かつ、前記入力された感覚情報を受信する第２コネクタ、前記感覚情報に基づいて駆動装置を駆動させる駆動装置部、第２コネクタに接続され、かつ、前記駆動装置を制御する制御ボード、前記駆動装置部及び制御ボードを介して感覚情報を出力する質感再現部、並びに無線通信部で構成されたボディ部と、
を備えることを特徴とする感覚情報入出力電子ペン。
【請求項３】
前記感覚情報入力部が、
圧力センサ、温度センサ、及びペンの動きを測定する加速度センサを備えることを特徴とする請求項２に記載の感覚情報入出力電子ペン。
【請求項４】
前記質感再現部が、ボディ部の外周に形成され、かつ、ホールが形成された溝、及び接触した指に刺激を伝達するために前記溝のホールに挿入されたピンを備え、
前記駆動装置部が、前記各々のピンを線形動作させる超小型モータ、及びペンを握っている手に振動を伝達する振動モータを備えることを特徴とする請求項２に記載の感覚情報入出力電子ペン。
【請求項５】
前記ボディ部が、
冷温感を伝達する吸熱及び発熱素子、外部との無線通信のための通信部及びアンテナ、前記吸熱及び発熱素子と制御ボードとから発生する熱を外部に排出するヒートパイプ、該ヒートパイプから伝達された熱をペンの外部に放出する放熱プレート、嗅覚物質貯蔵タンク、嗅覚物質を外部に噴射するために圧力差を発生させる電子マイクロポンプ、外部の空気を流入する吸入口、ポンプから発生した圧力差により外部に嗅覚物質を噴射する噴射ノズル、及び前記ボディ部内部の電気素子に電源を供給する電池をさらに備えることを特徴とする請求項２に記載の感覚情報入出力電子ペン。
【請求項６】
前記ピンが、
指の皮膚に直接垂直方向に変位のある刺激を与えるように複数個が平面上に分散して配列されることを特徴とする請求項４に記載の感覚情報入出力電子ペン。
【請求項７】
前記溝が、
導電性の高い金属板が備えられ、前記溝の裏面に吸熱及び発熱可能な素子が取り付けられていることを特徴とする請求項４に記載の感覚情報入出力電子ペン。
【請求項８】
前記制御ボードが、
プロセッサ及びメモリ、電流電圧増幅器、アナログ入出力、及びデジタル入出力素子で構成されることを特徴とする請求項２に記載の感覚情報入出力電子ペン。
【請求項９】
味に関する成分の量に応じて感覚情報を発生させる電子舌、該電子舌から入力された感覚情報を処理及び格納する信号処理部、並びに第１コネクタで構成されたヘッド部と、
前記第１コネクタに接続され、かつ、前記入力された感覚情報を受信する第２コネクタ、前記感覚情報に基づいて駆動装置を駆動させる駆動装置部、第２コネクタに接続され、かつ、前記駆動装置を制御する制御ボード、前記駆動装置部及び制御ボードを介して感覚情報を出力する発香装置、並びに無線通信部で構成されたボディ部と、
を備えることを特徴とする感覚情報入出力電子ペン。
【請求項１０】
前記発香装置が、
味を分析する味分析器、嗅覚物質貯蔵タンク、空気吸入口、噴射口、及びポンプを備えることを特徴とする請求項９に記載の感覚情報入出力電子ペン。
【請求項１１】
電子舌、信号処理部、味分析器、制御ボード、嗅覚物質貯蔵タンク、空気吸入口、噴射口、及びポンプを備えた感覚情報入出力電子ペンを用いた嗅覚情報出力方法であって、
前記感覚情報入出力電子ペンの電子舌により測定対象の味情報を測定し、
前記測定された味情報を、信号処理部及び味分析器を経て味覚データとして格納し、
前記味覚データを、制御ボードにより、前記嗅覚物質貯蔵タンク、空気吸入口、噴射口、及びポンプを介して嗅覚物質として噴射することを特徴とする感覚情報入出力電子ペンを用いた嗅覚情報出力方法。
【請求項１２】
前記格納された味覚データを無線通信部を介して移動通信端末に伝送し、
前記移動通信端末が、味覚データを格納し、
前記移動通信端末が、味覚データを感覚情報入出力電子ペンに伝送し、
前記感覚情報入出力電子ペンが、前記味覚データを、制御ボードにより、前記嗅覚物質貯蔵タンク、空気吸入口、噴射口、及びポンプを介して嗅覚物質として噴射することをさらに含むことを特徴とする請求項１１に記載の感覚情報入出力電子ペンを用いた嗅覚情報出力方法。
【請求項１３】
前記格納された味覚データを他の感覚情報入出力電子ペンに伝送し、
前記感覚情報入出力電子ペンが、伝送された味覚データを、発香装置を介して嗅覚物質として噴射することをさらに含むことを特徴とする請求項１１に記載の感覚情報入出力電子ペンを用いた嗅覚情報出力方法。
【発明の詳細な説明】
【技術分野】
【０００１】
本発明は、感覚情報入出力電子ペン及び電子ペンを用いて味情報を認識して嗅覚情報に変換する方法に関する。より具体的には、本発明は、感覚情報である触覚、嗅覚、及び味覚情報の入力及び出力が可能な電子ペンを用いて、文字、模様、アイコン、質感、温感などの多様な情報を入力及び格納し、感覚情報再現部を介して感覚情報を振動や温度として出力可能なだけでなく、味情報を嗅覚情報に変換して伝送及び出力可能な感覚情報入出力電子ペン及び電子ペンを用いた嗅覚情報出力方法を提供するためのものである。
【背景技術】
【０００２】
従来では、移動通信端末にのみ使用可能な電子ペンや振動フィードバック可能なペンが用いられていた。このため、触覚、嗅覚、味覚情報を測定し、触覚、嗅覚、味覚情報を再現する携帯用端末を介して、各種情報を直観的に迅速に伝達し共有することができないという問題があった。
【発明の概要】
【発明が解決しようとする課題】
【０００３】
本発明の目的は、上記のような問題を解決するためのものであって、本発明では、移動通信端末でよく使用されているペン型入力装置である電子ペンに、触覚、嗅覚、味覚の入出力が可能な装置を内蔵することにより、端末の種類及び交替の有無と関係なく一貫して用いることができ、より具体的かつ直観的な感覚情報を伝達する感覚情報入出力電子ペンを提供するためのものである。
【０００４】
本発明の他の目的は、移動通信端末のみならず、日常生活においても、感覚情報である触覚、嗅覚、味覚に関する情報を格納し再生することができる、新たな携帯型入出力装置である感覚情報入出力電子ペンを提供するためのものである。
【課題を解決するための手段】
【０００５】
上記の目的を達成するために、本発明は、外部と接触して表面の感覚情報が入力される感覚情報入力部と、該感覚情報入力部から入力された感覚情報を処理及び格納する信号処理部と、前記感覚情報を出力する感覚情報再現部と、前記感覚情報を伝送する無線通信部と、を備える感覚情報入出力電子ペンに関する。前記感覚情報入力部は、電子舌、圧力センサ、温度センサ、及び加速度センサを備え、前記感覚情報再現部は、質感再現部及び温感再現部を備え、発香装置をさらに備える感覚情報入出力電子ペンに関する。
【０００６】
また、本発明は、外部と接触して感覚情報が入力される感覚情報入力部、前記入力された感覚情報を処理及び格納する信号処理部、並びに第１コネクタで構成されたヘッド部と、前記第１コネクタに接続され、かつ、前記入力された感覚情報を受信する第２コネクタ、前記感覚情報に基づいて電気を駆動させる駆動装置部、第１コネクタに接続され、かつ、前記駆動装置を制御する制御ボード、前記駆動装置部及び制御ボードを介して感覚情報を出力する質感再現部、並びに無線通信部で構成されたボディ部と、を備える感覚情報入出力電子ペンに関する。前記入力部は、圧力センサ、温度センサ、及びペンの動きを測定する加速度センサを備える。前記質感再現部は、ボディ部の外周に形成され、かつ、ホールが形成された溝、及び接触した指に刺激を伝達するために前記溝に挿入されたピンを備え、前記駆動装置部は、前記各々のピンを線形動作させる超小型モータ、及びペンを握っている手に振動を伝達する振動モータを備える。前記ボディ部は、冷温感を伝達する吸熱及び発熱素子、外部との無線通信のための通信部及びアンテナ、前記吸熱及び発熱素子と制御ボードとから発生する熱を外部に排出するヒートパイプ、該ヒートパイプから伝達された熱をペンの外部に放出する放熱プレート、嗅覚物質貯蔵タンク、嗅覚物質（例えば、香水）を外部に噴射するために圧力差を発生させる電子マイクロポンプ、外部の空気を流入する吸入口、ポンプから発生した圧力差により外部に嗅覚物質を噴射する噴射ノズル、及び前記ボディ部内部の電気素子に電源を供給する電池をさらに備える。
【０００７】
さらに、本発明は、感覚情報入出力電子ペンを用いた嗅覚情報出力方法であって、電子舌、発香装置を備える感覚情報入出力電子ペンの電子舌により測定対象の味情報を測定し、前記測定された味情報を、信号処理部及び味分析器を経て味覚データとして格納し、前記味覚データを、制御ボードにより、前記嗅覚物質貯蔵タンク、空気吸入口、噴射口、及びポンプを介して嗅覚物質として噴射し、無線通信部を介して移動通信端末または他の電子ペンに味覚データを伝送し、嗅覚を出力することができる感覚情報入出力電子ペンを用いた嗅覚情報出力方法に関する。
【発明の効果】
【０００８】
本発明によれば、移動通信端末でよく使用されている多用途電子ペンに、触覚、嗅覚、味覚を再現可能な装置を内蔵することにより、端末の種類及び交替の有無と関係なく一貫して用いることができ、具体的かつ直観的な感覚情報の伝達が可能であり、携帯用端末のみならず、日常生活においても、触覚、嗅覚、味覚に関する情報を格納し再生して用いることができる。
【図面の簡単な説明】
【０００９】
【図１】本発明に係る感覚情報入出力電子ペンを使用する一例を概略的に示す斜視図である。
【図２】本発明に係る感覚情報入出力電子ペンを概略的に示す斜視図である。
【図３】本発明の第１実施形態に係る感覚情報入出力電子ペンのヘッド部を概略的に示す断面図である。
【図４】本発明に係る感覚情報入出力電子ペンのボディ部を概略的に示す断面図である。
【図５】本発明に係る感覚情報入出力電子ペンのピン動作を概略的に示す使用状態図である。
【図６】本発明に係る感覚情報入出力電子ペンを使用する他の例を示す概念図である。
【図７】本発明に係る感覚情報入出力電子ペンを使用するさらに他の例を示す概念図である。
【図８】本発明の第２実施形態に係る感覚情報入出力電子ペンのヘッド部を概略的に示す断面図である。
【図９】本発明に係る感覚情報入出力電子ペンを用いて味情報を認識し嗅覚情報として伝送及び出力する方法を示す構成及びフローチャートである。
【発明を実施するための形態】
【００１０】
以下、本発明に係る感覚情報入出力電子ペン及び電子ペンを用いた嗅覚情報出力方法の好ましい実施形態に関する構成、機能及び効果について詳細に説明する。
【００１１】
図１は、本発明に係る感覚情報入出力電子ペンを使用する一例を示す斜視図である。
【００１２】
同図に示すように、ユーザが移動通信端末２００を利用している間に、触感に関する感覚情報は、端末の無線通信部２１０を介して、感覚情報入出力電子ペン１００の無線通信部１２５及びアンテナに伝達され、前記電子ペン１００の複数のピン１２２は、前記感覚情報に基づいてペンを握っている指に触感を伝達する。
【００１３】
図２は、本発明に係る感覚情報入出力電子ペンを示す斜視図である。
【００１４】
同図に示すように、電子ペン１００は、ヘッド部１１０と、ボディ部１２０とを備える。前記ヘッド部の端部には、情報検出対象、移動通信端末、またはディスプレイ部と接触するためのチップ部１１１が備えられる。また、前記ボディ部１２０は、溝１２１、複数のピン１２２、放熱プレート１２３、吸入口１２４、無線通信部１２５、及び嗅覚物質排出口１４４を備える。
【００１５】
前記チップ部１１１は、ヘッド部の端部に、移動通信端末２００または外部と接触するために形成され、前記溝１２１は、ボディ部の外周に形成され、かつ、前記ピンが移動可能に挿入されるホールが形成され、前記ピンは、前記指の皮膚に直接垂直方向に変位のある刺激を与えることができるように複数個が配列され、前記放熱プレート１２３は、電子ペンの内部回路で発生する熱を排出するためのものであり、前記吸入口１２４は、外部の空気が流入するためのものであり、前記無線通信部１２５は、外部端末または他の電子ペンとの通信のために形成され、前記嗅覚物質排出口１４４は、前記ヘッド部の反対側の端部に嗅覚物質を噴射するために形成される。
【００１６】
以下、感覚情報入出力電子ペンのヘッド部の構造について詳細に説明する。
【００１７】
図３に示すように、感覚情報入出力電子ペンのヘッド部は、３軸圧力センサ１１２及び温度センサ１１３で構成されるチップ部、信号処理部１１５、並びに第１コネクタ１１６で構成される。
【００１８】
超小型の３軸圧力センサ１１２は、電子ペン１００のチップ部１１１が移動通信端末や外部環境などと接触したとき、接触力を測定して接触の有無を判断できるだけでなく、字を書いたり、模様、アイコンを描く動作のように、接触状態で表面を滑っている間に前記チップ部１１１がどの方向にどれほどの力で動いたのかを測定することができる。前記圧力センサは、フィルム型で作製され、ポリフッ化ビニリデン（ＰＶＤＦ：ｐｏｌｙｖｉｎｙｌｉｄｅｎｅｆｌｕｏｒｉｄｅ）のような圧電ポリマーが使用される。また、チップ部１１１には、熱電対（ｔｈｅｒｍｏ  ｃｏｕｐｌｅ）で構成された温度センサ１１３が内蔵され、前記チップ部１１１に接触する表面の温度を測定することが好ましいが、測温抵抗体（ＲＴＤ：Ｒｅｓｉｓｔａｎｃｅ  Ｔｅｍｐｅｒａｔｕｒｅ  Ｄｅｔｅｃｔｏｒ）で代替して実施可能である。さらに、前記チップ部１１１に近い部分には、３軸加速度センサ１１４が内蔵され、電子ペンの動きを測定する。
【００１９】
前記信号処理部１１５は、チップ部１１１から入力された感覚情報を処理し、前記第１コネクタ１１６は、ボディ部と結合するために形成される。
【００２０】
このように、前記ヘッド部のチップ部１１１で測定された全ての感覚情報は、ヘッド部内部の信号処理部１１５を経て第１コネクタ１１６に伝達され、前記第１コネクタ１１６は、電子ペンのボディ部１２０の第２コネクタ１４３に接続される。
【００２１】
以下、感覚情報入出力電子ペンのボディ部の構造について詳細に説明する。
【００２２】
図４に示すように、感覚情報入出力電子ペンのボディ部１２０は、第２コネクタ１４３、溝１２１、複数のピン１２２、超小型モータ１３２、振動モータ１３１、吸熱及び発熱素子１３３、制御ボード１３４、無線通信部１２５、ヒートパイプ１３５、放熱プレート１２３、嗅覚物質貯蔵タンク１３８，１３９、電子マイクロポンプ１４１、吸入口１２４、ノズル１４０、及び電池１４２で構成される。
【００２３】
前記第２コネクタ１４３は、ヘッド部１１０の第１コネクタ１１６と電気的に接続され、かつ、入力された感覚情報を受信するためのものであり、前記溝１２１は、ボディ部の外周に形成され、かつ、ホールが形成され、前記ピン１２２は、接触した指に垂直方向の運動により皮膚に刺激を伝達し、前記超小型モータ１３２は、各ピンを線形動作させるために形成され、前記振動モータ１３１は、それ自体の振動によりボディ部を握っている手に振動を伝達するために備えられ、前記吸熱及び発熱素子１３３は、溝に当たっている指の皮膚に冷温感を伝達するために備えられ、前記制御ボード１３４は、内部の全ての電気駆動装置を制御するために備えられ、前記無線通信部１２５は、外部との無線通信のために備えられ、前記ヒートパイプ１３５は、吸熱及び発熱素子と制御ボードとから発生する熱を外部に迅速に排出するために形成され、前記放熱プレート１２３は、ヒートパイプ１３５から伝達された熱を電子ペンの外部に放出するために形成され、前記嗅覚物質貯蔵タンク１３８，１３９は、嗅覚物質を貯蔵している複数のタンクであり、前記電子マイクロポンプ１４１は、嗅覚物質を外部に噴射するために圧力差を発生させ、前記吸入口１２４は、外部の空気を流入するために形成され、前記ノズル１４０は、ポンプから発生した圧力差により外部に嗅覚物質を噴射し、前記電池１４２は、内部の全ての電気素子に電源を供給する。
【００２４】
前記第２コネクタ１４３は、電子ペンのヘッド部との電気的な結合を機械的な結合と同時に生じさせるとともに、制御ボード１３４に接続され、かつ、ヘッド部のチップ部１１１のセンサから入力された信号を伝達するように誘導する。
【００２５】
前記溝は、指が当たるようにボディ部の外周面に形成される。また、前記溝１２１は、銅のような導電性の高い金属板からなり、ボディ部の内面には、吸熱及び発熱可能な素子が取り付けられている。前記素子は、ペルチェセル（Ｐｅｌｔｉｅｒ’ｓ  ｃｅｌｌ）で構成され、電流制御により金属板と接触している皮膚に冷感及び温感を全て伝達することができる。
【００２６】
前記ピン１２２は、複数個がそれぞれ皮膚に刺激を伝達するように前記平面上に分散して配置され、垂直方向に運動することができ、複数のピンがそれぞれの高さと速度で皮膚に直接変形を生じさせることにより、ユーザが表面の模様や粗さのような質感を感じることができるように配列される。本発明の実施形態では、電子ペンに内蔵され、かつ、皮膚に微細な刺激を伝達するために、小さくかつ密度のあるように配列されることが好ましいため、低電圧で動作可能な超小型の線形超音波モータを用いているが、当業者によっては、ソレノイドやボイスコイル駆動器などで代替して実施可能である。
【００２７】
前記ピン１２２の動作は電気的に制御され、前記制御ボード１３４に回路的に接続されている。振動情報を用いてユーザに情報を伝達できるため、電子ペンの内部には、前記振動モータ１３１が内蔵され、制御ボード１３４に接続される。前記振動モータ１３１としては、一般的なシリンダ型の偏心モータが好ましいが、パンケーキモータで代替することもできる。
【００２８】
前記制御ボード１３４は、プロセッサ及びメモリ、電流電圧増幅器、アナログ入出力、デジタル入出力素子で構成され、内部の全ての機能素子を制御する。
【００２９】
本発明において、電子ペンと移動通信端末、または電子ペンと電子ペンとの間の通信部としては、ブルートゥースモジュールを用いることが好ましいが、ＴＣＰ／ＩＰ、ＵＤＰ、ＲＦなど、その他の無線通信モジュールで代替して実施可能である。
【００３０】
前記嗅覚物質貯蔵タンク１３８，１３９は、複数のタンクからなり、各タンクには、ショウコウ（ｃａｍｐｈｏｒ）、ジャコウ（ｍｕｓｋ）、フレグランス（ｆｒａｇｒａｎｃｅ）、ハッカ（ｍｉｎｔ）、アルコール（ａｌｃｏｈｏｌ）、コーヒー（ｃｏｆｆｅｅ）の香りが貯蔵されており、前記香りの種類は、当業者によって多様な実施形態が可能である。
【００３１】
各タンクから放出される嗅覚物質の量は、ノズル１４０を介して制御される。図４に示すように、前記タンクは、嗅覚物質の再充填が容易な場所に位置する。
【００３２】
前記電子マイクロポンプ１４１は、外部吸入口を介して空気を吸い込み、嗅覚物質を気体と混合して、電子ペンの先部分、すなわち、鼻に最も近い方向に位置する嗅覚物質排出口１４４に混合気体を噴射する。
【００３３】
図５は、本発明に係る感覚情報入出力電子ペンのピン動作を概略的に示す使用状態図である。
【００３４】
同図に示すように、前記ピン１２２の配列は、垂直方向に動作して皮膚に直接刺激を与える。また、小型の線形モータであっても、その大きさが制限的であるため、ずれるようにモータ部を配置することにより、ピンがより高い密度で内蔵できるようにする。質感を明確にするために、ピンの間隔は、１ｍｍ以内として設計することが好ましい。
【００３５】
同図に示すように、前記ピン１２２は、個別動作が可能なため、表面に凹凸がある場合、個別ピンが適切な変位で運動して皮膚に凹凸感を伝達する。
【００３６】
図６は、本発明に係る感覚情報入出力電子ペンを使用する他の例を示す概念図である。
【００３７】
同図に示すように、本発明に係る感覚情報入出力電子ペンは、移動通信端末やコンピュータなどのタッチスクリーン上でのみならず、日常生活において表面をこするのにも使用することができる。このとき、表面への接触の有無は、電子ペンのチップ部１１１に内蔵された圧力センサ１１２により測定され、表面の硬度も、前記圧力センサ１１２により測定される。また、電子ペンを使用している間に、ユーザによる電子ペンの姿勢及び動きは、一定範囲内に制限されているため、電子ペンのヘッド部１１０に内蔵された加速度センサ１１４を用いて電子ペンの先の平面運動と表面の模様によって現れる前記チップ部１１１の微細な垂直方向の運動を測定することにより、表面の突出の程度を測定することができる。測定された全てのデータは、信号処理部１１５を経て格納される。同時に、表面の温度は、温度センサ１１３により測定されて格納される。
【００３８】
図７は、本発明に係る感覚情報入出力電子ペンを使用するさらに他の例を示す概念図である。
【００３９】
同図に示すように、移動通信端末２００は、無線通信部２１０及びディスプレイ部２２０を備え、前記ディスプレイ部２２０は、位置に応じた表面の微細な粒子の突出の程度、冷温感、物質情報が格納されている質感のある模様、アイコンがディスプレイされる。
【００４０】
また、ユーザが、質感の現れたディスプレイに、前記感覚情報入出力電子ペン１００により、質感のある模様、アイコン２２１をこすると、加圧する位置に応じて変化する模様、アイコン上の領域２２２の質感情報が、移動通信端末の無線通信部２１０を介して感覚情報入出力電子ペンの無線通信部１２５に伝達される。また、伝達された前記質感情報は、ピン１２２を介して表面の突出の程度が表現され、指に刺激が伝達される。このとき、前記複数のピン１２２で表現しにくい表面の微細な突出情報は、振動モータ１３１の振動を用いて表現される。
【００４１】
本発明の第２実施形態に係る感覚情報入出力電子ペンは、味に関する成分の量に応じて感覚情報を発生させる電子舌１１７、該電子舌から入力された感覚情報を処理及び格納する信号処理部１１５、並びに第１コネクタ１１６で構成されたヘッド部１１０’と、前記第１コネクタに接続され、かつ、入力された感覚情報を受信する第２コネクタ１４３、前記感覚情報に基づいて電気を駆動させる駆動装置部、第１コネクタに接続され、かつ、電気駆動装置を制御する制御ボード１３４、前記駆動装置部及び制御ボードを介して感覚情報を出力する質感再現部、並びに無線通信部１２５で構成されたボディ部１２０とを備える。
【００４２】
図８は、本発明の第２実施形態に係る感覚情報入出力電子ペンであって、物質の味を分析する電子舌を内蔵した多用途電子ペンのヘッド部を示す断面図である。
【００４３】
前記ヘッド部は、電子舌１１７、信号処理部１１５、並びに第１コネクタ１１６で構成される。同図に示すように、前記電子舌１１７は、化学物質分析器で、かつ、酒類や飲料などの成分及び濃度を測定して情報をペンに格納し伝達する簡単な携帯用化学物質分析器であって、味に関する成分の量に応じて感覚情報を発生させ、前記信号処理部１１５は、入力された感覚情報を処理し、前記第１コネクタ１１６は、ボディ部１２０と結合するために備えられる。
【００４４】
さらに、前記電子ペン１００のヘッド部１１０’は、味に関する成分の量に応じて電気的感覚情報を発生させる電子舌１１７、入力された感覚情報を処理する信号処理部１１５、及び電子ペンのボディ部と結合するための電気的接続部の第１コネクタ１１６で構成された他のヘッド部と交替可能である。苦味、塩味、酸味、アルコール量の強度を測定する電子舌は、すでにいくつかの会社によって製品が商用化されており、電子ペンの内部に内蔵され得る。今後、電子舌は、多様な味を測定可能なセンサで代替され得る。測定された各味の強度は、電子ペンのボディ部に伝達されて格納される。電子ペンのボディ部と結合される第１コネクタ１１６は、図３に説明した接続部である第１コネクタ１１６と同様に作製され、使用目的に応じて交換できるように設計される。
【００４５】
図９は、本発明に係る感覚情報入出力電子ペンを用いて味情報を認識し嗅覚情報として伝送及び出力する方法を示す構成及びフローチャートである。同図に示すように、前記電子舌１１７により測定された味情報は、信号処理部及び味分析器を経て味覚データとして格納され、発香装置を介して嗅覚情報として排出される。また、前記味覚データは、無線通信部を介して移動通信端末に伝送され、相手が希望する時期に嗅覚情報変換器を経て他の感覚情報入出力電子ペンに伝送される。
【００４６】
前記伝送されたデータは、発香装置を介して嗅覚物質に変換されて噴射される。このとき、自体の端末を経ずに、他の電子ペンに直接伝送され得、この場合も、他の電子ペン内部の嗅覚情報変換器を経る。前記嗅覚情報変換器は、分析された味から該当する食物に対する嗅覚を決定するものであり、嗅覚物質貯蔵タンクの嗅覚物質の選択とノズルの制御値とを出力する。一例として、濃いコーヒーに電子舌を入れた場合、味分析器が苦味の強いコーヒーとして分析し、その結果により、嗅覚情報変換器では濃いコーヒーの香りとして分析し、電子ペンに伝送されたデータは、前記制御ボードを経て、発香装置のコーヒー貯蔵タンクのノズルを大きく開放して大きな圧力で噴射するように誘導する。
【００４７】
以上で説明した本発明は、上述した実施形態及び添付図面により限定されるものではなく、本発明の技術的思想を逸脱しない範囲内で様々な置換、変形及び変更が可能であることは、本発明の属する技術分野における通常の知識を有する者にとって自明である。
【図１】
2010503061.tif 000003
【図２】
2010503061.tif 000004
【図３】
2010503061.tif 000005
【図４】
2010503061.tif 000006
【図５】
2010503061.tif 000007
【図６】
2010503061.tif 000008
【図７】
2010503061.tif 000009
【図８】
2010503061.tif 000010
【図９】
2010503061.tif 000011
【国際調査報告】
2010503061.tif 000012
2010503061.tif 000013